(57)【要約】【課題】  一眼レフタイプのデジタルカメラで表示器にスルー画像を表示させながらピントや構図を決定し撮影する場合には、光学ファインダーはミラーが退避するために使えず、目盛線入りピント板や格子線入りピント板は役に立たない。よって一眼レフタイプのデジタルカメラで表示器にスルー画像を表示させながらピントや構図を決定し撮影する場合であって、交換レンズとしてマクロレンズやティルトレンズ或いはシフトレンズを選択した場合には目盛線や格子線が無いために不便となってしまうことがあった。【解決手段】  装着レンズの仕様又は種類を判別する判別手段、該判別手段の判別結果に応じて表示器に表示するスルー画像に合成表示する合成用画像を選択する選択手段を有する撮影レンズが交換可能なデジタルカメラを提案して、装着レンズの機能や仕様に基づいて目盛線や格子線を自動的にスルー画像に対して合成表示するものである。【選択図】  図１
2007036983.tif 000002
【特許請求の範囲】
【請求項１】
被写体像を光電変換して電子的画像信号を得るための撮像素子、該撮像素子によって得られた電子画像信号を信号処理する信号処理回路、該信号処理回路から出力された画像信号を表示する表示器、装着レンズの仕様又は種類を判別する判別手段、該判別手段の判別結果に応じて前記表示器に表示するスルー画像に合成表示する合成用画像を選択する選択手段を有する撮影レンズが交換可能なデジタルカメラ。
【請求項２】
前記合成用画像は格子線または目盛線である請求項１に記載の撮影レンズが交換可能なデジタルカメラ。
【請求項３】
スルー画像の輝度又は色に応じて前記合成用画像の輝度或いは色を変更する変更手段を有する請求項１及び２に記載の撮影レンズが交換可能なデジタルカメラ。
【発明の詳細な説明】
【技術分野】
【０００１】
本発明はレンズ交換可能なデジタルカメラに関するものである。
【背景技術】
【０００２】
撮影レンズを目的に応じて様々な仕様のレンズに交換可能なデジタルカメラが知られている。レンズ交換可能なデジタルカメラとしては多くの場合、跳ね上げ式のミラーにより撮像待機時はファインダーに撮像光束を導き、ミラーが退避することで撮像時には撮像素子に撮像光束を導く一眼レフタイプのカメラが多い。近年、一眼レフタイプのデジタルカメラにおいてもミラーが退避した状態で連続撮像を行い表示器に動画的なスルー画像を表示する仕様が提案されており、厳密なピント合わせや厳密なフレーミングに有効性が高いとされている。
【０００３】
一方、こうしたカメラに装着可能な交換レンズの種類としては焦点距離やＦＮｏ．が異なるもの、近接撮影用途を目的としたマクロレンズ、レンズ光軸と撮像面の垂直関係をずらすことでピントの合う範囲を制御するティルト機能を有するティルトレンズ、レンズ光軸を平行移動させて像変形を修正するシフト機能を有するシフトレンズなどが存在する。
【０００４】
一部の一眼レフカメラにおいては、アクセサリーとしてマクロレンズを使用した近接撮影時などに有用な目盛線入りピント板、ティルトレンズやシフトレンズを使用した撮影時に有用な格子線入りピント板が用意されている。
【０００５】
尚、特許文献１にはレンズ交換できない撮像装置のビューファインダにおいての基準線表示機能について開示がある。
【０００６】
又、その他の従来例としては、例えば特許文献２と特許文献３をあげることが出来る。
【特許文献１】特開平０５−１９１７０３号公報
【特許文献２】特開２００２−２９０７８０号公報
【特許文献３】特開平０５−１６５０８８号公報
【発明の開示】
【発明が解決しようとする課題】
【０００７】
前述した一眼レフタイプのデジタルカメラで表示器にスルー画像を表示させながらピントや構図を決定し撮影する場合には、光学ファインダーはミラーが退避するために使えず、目盛線入りピント板や格子線入りピント板は役に立たない。よって一眼レフタイプのデジタルカメラで表示器にスルー画像を表示させながらピントや構図を決定し撮影する場合であって、交換レンズとしてマクロレンズやティルトレンズ或いはシフトレンズを選択した場合には目盛線や格子線が無いために不便となってしまうことがあった。
【課題を解決するための手段】
【０００８】
そこで本発明においては、被写体像を光電変換して電子的画像信号を得るための撮像素子、該撮像素子によって得られた電子画像信号を信号処理する信号処理回路、該信号処理回路から出力された画像信号を表示する表示器、装着レンズの仕様又は種類を判別する判別手段、該判別手段の判別結果に応じて前記表示器に表示するスルー画像に合成表示する合成用画像を選択する選択手段を有する撮影レンズが交換可能なデジタルカメラを提案して、装着レンズの機能や仕様に基づいて目盛線や格子線を自動的にスルー画像に対して合成表示し前記したような不便さを解消するものである。
【発明の効果】
【０００９】
以上説明したように、被写体像を光電変換して電子的画像信号を得るための撮像素子、該撮像素子によって得られた電子画像信号を信号処理する信号処理回路、該信号処理回路から出力された画像信号を表示する表示器、装着レンズの仕様又は種類を判別する判別手段、該判別手段の判別結果に応じて前記表示器に表示するスルー画像に合成表示する合成用画像を選択する選択手段を有する撮影レンズが交換可能なデジタルカメラを提案することにより、装着レンズの機能や仕様に基づいて目盛線や格子線を自動的にスルー画像に対して合成表示でき好ましい撮影環境を提供できる。また、スルー画像の輝度や色に応じて自動的に合成される目盛線や格子線の輝度や色も変更されるので、こうした目盛線や格子線が見づらくなることも防止できる。
【発明を実施するための最良の形態】
【００１０】
（実施例１）
図１は本発明を実施したレンズ交換可能なデジタルカメラの主として光学部材の配置を断面図にて表わしたものである。
【００１１】
図において１はカメラ本体、２は交換レンズである。カメラ本体１において１０はメカニカルシャッター、１１はロウパスフィルター、１２は例えばＣＭＯＳやＣＣＤといったエリアの蓄積型光電変換素子からなる撮像素子、１３は半透過性の主ミラー、１４は第１の反射ミラーで主ミラー１３と第１の反射ミラー１４はともに撮影時には上部に跳ね上がる。１５は第１の反射ミラー１４による撮像素子面１２と共役な近軸的結像面、１６は第２の反射ミラー、１７は赤外カットフィルター、１８は２つの開口部を有する絞り、１９は２次結像レンズ、２０は焦点検出用センサーである。焦点検出用センサー２０は例えばＣＭＯＳやＣＣＤといったエリアの蓄積型光電変換素子からなり、図２に示すように絞り１８の２つの開口部に対応して多数分割された受光センサー部が２０Ａと２０Ｂとの２対のエリアの構成になっている。また、受光センサー部２０Ａと２０Ｂに加えて、信号蓄積部や信号処理用の周辺回路などが同一チップ上に集積回路として作り込まれる。第１の反射ミラー１４から焦点検出用センサー２０までの構成は、特開平９−１８４９６５等に詳細に記載されているように、撮影画面内の任意の位置での像ずれ方式での焦点検出を可能とするものである。
【００１２】
２１は拡散性を有するピント板、２２はペンタプリズム、２３は接眼レンズ、２４は第３の反射ミラー、２５は集光レンズ、２６は被写体の輝度に関する情報を得るための測光用センサーである。測光用センサー２６は例えばシリコンフォトダイオード等の光電変換素子からなり、図３に例示するように格子状に複数分割された受光センサー部を有した構成になっており撮影画面の略全体を視野としている。本例では受光視野内を７列×５行＝３５分割としている。３５分割された各受光部に対してはＰＤ１〜ＰＤ３５と呼ぶこととする。受光センサー部以外に信号増幅部や信号処理用の周辺回路などが同一チップ上に集積回路として作り込まれることは周知である。
【００１３】
ピント板２１、ペンタプリズム２２、接眼レンズ２３によってファインダー光学系が構成される。測光用センサー２６には主ミラー１３によって反射されてピント板２１によって拡散された光線のうち光軸外の一部が入射する。
【００１４】
２７は撮影レンズを取り付けるマウント部、２８は撮影レンズと情報通信を行うための接点部，２９はフラッシュ装置等を取り付けられる接続部である。交換レンズ２において３０ａ〜３０ｅは撮影レンズを構成する各光学レンズ，３１は絞り、３２はカメラ本体と情報通信を行うための接点部、３３はカメラに取り付けられるためのマウント部である。カメラに省着可能な交換レンズとしては様々な仕様のものがあり、近接撮影に用いられるマクロレンズ、レンズ光軸と撮像面の垂直関係をずらすことでピントの合う範囲を制御するティルト機能を有するティルトレンズ、レンズ光軸を平行移動させて像変形を修正するシフト機能を有するシフトレンズなどが存在する。
【００１５】
図４は本発明を実施したカメラ本体１とその交換レンズ２の電気回路の構成例を表わすブロック図である。カメラ本体１において４１は例えば内部にＡＬＵ、ＲＯＭ、ＲＡＭやＡ／Ｄコンバータ、タイマー、シリアル通信ポート（ＳＰＩ）等を内蔵したワンチップマイクロコンピュータによる制御手段でありカメラ機構等の全体制御を行う。制御手段４１の具体的な制御シーケンスについては後述する。焦点検出用センサー２０及び測光用センサー２６は図１等に記載したものと同一である。焦点検出用センサー２０及び測光用センサー２６の出力信号は、制御手段４１のＡ／Ｄコンバータ入力端子に接続される。
【００１６】
４２はシャッター駆動手段であり制御手段４１の出力端子に接続されて図１記載のメカニカルシャッター１0を駆動する。４３は信号処理回路であり制御手段４１の指示に従って撮像素子１２を制御して撮像素子１２が出力する撮像信号をA／D変換しながら入力して信号処理を行い、画像信号を得る。また、得られた画像信号に対して必要な画像処理を行ったり、後述する表示器４７に画像情報を出力することもできる。４４はフラッシュＲＯＭ等の不揮発性メモリ又は光ディスク等による記憶手段であり撮像された画像信号を記憶する。４５は第１のモータードライバであり、制御手段４１の出力端子に接続されて制御されて、主ミラー１３及び第１の反射ミラー１４のアップ・ダウンを行う。４７はＴＦＴ液晶パネルや有機ＥＬパネル等で構成されて各種撮影情報或いは撮影画像情報等を表示する表示器であり、やはり制御手段４１の制御出力信号に応じて信号処理回路４３が表示情報を出力して点灯制御される。４８は後述する格子線等の表示色切換スイッチ、４９は撮影モード設定スイッチ、５０はレリーズスイッチである。２８は図１に記載した接点部であり、制御手段４１のシリアル通信ポートの入出力信号が接続される。２９は図１に記載したフラッシュ装置等の接続部である。
【００１７】
交換レンズ２において５１は例えば内部にＡＬＵ、ＲＯＭ、ＲＡＭやタイマー、シリアル通信ポート（ＳＰＩ）等を内蔵したワンチップマイクロコンピュータによるレンズ制御手段である。５２は第２のモータードライバでありレンズ制御手段５１の出力端子に接続されて制御され、焦点調節を行うための第２のモーター５３を駆動する。５４は第３のモータードライバでありレンズ制御手段５１の出力端子に接続されて制御され、図１にて記載した絞り３１の制御を行うための第３のモーター５５を駆動する。５６は焦点調節レンズの繰り出し量すなわち被写体距離に関する情報を得るための距離エンコーダーであり、レンズ制御手段５１の入力端子に接続される。５７は交換レンズ３０がズームレンズである場合に撮影時の焦点距離情報を得るためのズームエンコーダーであり、レンズ制御手段５１の入力端子に接続される。３２は図１に記載した接点部であり、レンズ制御手段５１のシリアル通信ポートの入出力信号が接続される。レンズ制御手段51のＲＯＭ内にはレンズの機能や仕様に関する情報も格納されており、そのレンズがマクロレンズであればマクロレンズを示す情報が、そのレンズがシフトレンズであればシフトレンズを示す情報が、そのレンズがティルトレンズであればティルトレンズを示す情報がそれぞれ格納されている。
【００１８】
交換レンズ２がカメラ本体１に装着されるとそれぞれの接点部２８と３２とが接続されてレンズ制御手段５１はカメラ本体の制御手段４１とのデータ通信が可能となる。カメラ本体の制御手段４１が焦点検出や露出演算を行うために必要なレンズ固有の光学的な情報や、距離エンコーダー５６或いはズームエンコーダー５７に基づいた被写体距離に関する情報または焦点距離情報やレンズの機能や仕様に関する情報はレンズ制御手段５１からカメラ本体の制御手段４１へとデータ通信によって出力される。
【００１９】
また、カメラ本体の制御手段４１が焦点検出や露出演算を行った結果求められた焦点調節情報や絞り情報はカメラ本体の制御手段４１からレンズ制御手段５１へとデータ通信によって出力されて、レンズ制御手段５１は焦点調節情報に従って第２のモータードライバ５２を制御し、絞り情報に従って第３のモータードライバ５４を制御する。
【００２０】
続いて図５のフローチャートに従ってカメラ本体の制御手段４１の本発明に関わる具体的な動作シーケンスについて説明する。不図示の電源スイッチがオンされて制御手段４１が動作可能となると、図５の（１０１）のステップより実行する。
【００２１】
（１０１）撮影モード設定スイッチ４９の状態を検知して、撮像素子１２による撮像画像のスルー画像表示を行うモードが設定されているかどうかをチェックする。もしも、スルー画像表示を行うモードにはなっていないとすると（１０２）へ進む。
【００２２】
（１０２）レンズ制御手段５１と通信を行ない装着されているレンズからレンズの機能や仕様に関する情報、焦点検出を行うために必要なレンズ情報、或いは露出制御を行うために必要なレンズ情報などを得る。
【００２３】
（１０３）焦点検出用センサー２０に対して制御信号を出力して、信号蓄積を行う。蓄積が終了すると焦点検出用センサー２０に蓄積された信号を読み出しながらＡ／Ｄ変換を行う。さらに読み込まれた各デジタルデータに対してシェーディング等の必要な各種のデータ補正を行う。
【００２４】
（１０４）焦点検出を行うために必要なレンズ情報と焦点検出用センサー２０から得られているデジタルデータより撮影画面内の焦点を合わせるべき領域の焦点状態を演算する。さらに焦点状態に従って合焦となるためのレンズ移動量を算出し、算出されたレンズ移動量をレンズ制御手段５１に出力する。これに従ってレンズ制御手段５１は焦点調節用レンズを駆動するように第２のモータードライバ５２に信号出力して、第２のモーター５３を駆動する。これにより撮影レンズは被写体に対して合焦状態となる。
【００２５】
（１０５）測光用センサー２６より３５分割された各受光部ＰＤ１〜ＰＤ３５の信号を読み出しながらＡ／Ｄ変換を行い画面各部の輝度情報を入力し、さらに必要なレンズ情報等をレンズ制御手段５１より入力して、入力された画面各部の輝度情報の補正を行い、各受光部毎の被写体輝度情報を得る。
【００２６】
（１０６）各受光部毎の被写体輝度情報は所定のアルゴリズムにより重み付け演算を行い、撮影画面の輝度情報とする。このようにして算出された撮影画面の輝度情報に基づいて撮影に最適な撮像素子１２の蓄積時間（すなわちシャッター速度）と絞り値を所定のプログラム線図より決定し、必要に応じて表示器４７に表示する。
【００２７】
（１０７）レリーズスイッチ５０がオンされるのを待つ。オンされていなければ前記（１０１）に戻る。
【００２８】
もしも、（１０１）にて撮影モード設定スイッチ４９により撮像素子１２による撮像画像のスルー画像表示を行うモードが設定されているならば（１０８）に進む。
【００２９】
（１０８）レンズ制御手段５１と通信を行ない装着されているレンズからレンズの機能や仕様に関する情報、焦点検出を行うために必要なレンズ情報、或いは露出制御を行うために必要なレンズ情報などを得る。
【００３０】
（１０９）測光用センサー２６より３５分割された各受光部ＰＤ１〜ＰＤ３５の信号を読み出しながらＡ／Ｄ変換を行い画面各部の輝度情報を入力し、さらに必要なレンズ情報等をレンズ制御手段５１より入力して、入力された画面各部の輝度情報の補正を行い、各受光部毎の被写体輝度情報を得る。
【００３１】
（１１０）各受光部毎の被写体輝度情報は所定のアルゴリズムにより重み付け演算を行い、撮影画面の輝度情報とする。このようにして算出された撮影画面の輝度情報に基づいて撮影に最適な撮像素子１２の蓄積時間（すなわちシャッター速度）と絞り値を所定のプログラム線図より決定し、必要に応じて表示器４７に表示する。
【００３２】
（１１１）第１のモータードライバ４５に制御信号を出力して、第１のモーター４６を駆動して主ミラー１３及び第１の反射ミラー１４を跳ね上げる。続いて前記（１１０）のステップにて演算された絞り値情報をレンズ制御手段５１に対して出力する。この情報に従ってレンズ制御手段５１は絞り３１を駆動するように第３のモータードライバ５４に信号出力して、第３のモーター５５を駆動する。これにより撮影レンズは絞り込み状態となる。
【００３３】
（１１２）シャッター駆動手段４２に対して信号出力を行い、シャッター１１を開放状態とする。これにより撮像素子１２には撮影レンズからの光線が入射して撮像が可能となる。さらにこの状態で撮像素子１２によって撮像された画像を連続的に蓄積し読み出すように信号処理回路４３に対して指示を出す。
【００３４】
（１１３）前記（１０８）のステップで入手したレンズの種類・仕様の情報に基づき、装着されているレンズがティルトレンズまたはシフトレンズであるかどうかをチェックする。もしも、装着されているレンズがティルトレンズまたはシフトレンズである場合は（１１４）へ進む。
【００３５】
（１１４）前記（１１２）のステップで撮像開始された撮像素子１２による撮像画像に図６（ａ）に例示するような格子線画像を合成するように信号処理回路４３に指示を出す。その後（１１７）へ進む。
【００３６】
もしも、（１１３）のステップにおいて装着されているレンズがティルトレンズまたはシフトレンズではない場合には（１１４）を実行せずに（１１５）へ進む。
【００３７】
（１１５）前記（１０８）のステップで入手したレンズの種類・仕様の情報に基づき、装着されているレンズがマクロレンズかどうかをチェックする。もしも、装着されているレンズがマクロレンズである場合は（１１６）へ進む。
【００３８】
（１１６）前記（１１２）のステップで撮像開始された撮像素子１２による撮像画像に図６（ｂ）に例示するような目盛線画像を合成するように信号処理回路４３に指示を出す。その後（１１７）へ進む。
【００３９】
もしも、（１１５）のステップにおいて装着されているレンズがマクロレンズではない場合には（１１６）を実行せずに（１１７）へ進む。すなわち、装着されたレンズがティルトレンズまたはシフトレンズ或いはマクロレンズのどれにも該当しない場合には格子線画像や目盛線画像との合成は行われない。
【００４０】
（１１７）前記（１１２）のステップで撮像開始された撮像素子１２による撮像画像を連続的に表示器４７に表示するように信号処理回路４３に指示を出す。これにより撮像素子１２によって撮像されるスルー画像が表示器４７に表示開始となる。この場合、装着されているレンズがティルトレンズまたはシフトレンズであれば（１１４）を経由しているのでスルー画像に格子線が重ねられて表示される。また、装着されているレンズがマクロレンズであれば（１１６）を経由しているのでスルー画像に目盛線が重ねられて表示される。
【００４１】
（１１８）レリーズスイッチ５０がオンされるのを待つ。オンされていなければ前記（１１２）に戻り上記ステップを繰り返す。もしも、レリーズスイッチ５０のオンが検出されると（１１９）へ進む。
【００４２】
（１１９）シャッター駆動手段４２に対して信号出力を行い、シャッター１１を遮光状態とするとともに撮像素子１２によって撮像された画像を連続的に蓄積し読み出すことを停止するように信号処理回路４３に対して指示を出す。また、表示器４７にスルー画像を表示することを停止するように信号処理回路４３に指示を出す。
【００４３】
（１２０）レンズ制御手段５１に対して絞り３１を開放するように情報出力する。この情報に従ってレンズ制御手段５１は絞り３１を駆動するように第３のモータードライバ５４に信号出力して、第３のモーター５５を駆動する。これにより撮影レンズは絞り開放状態となる。さらに、第１のモータードライバに制御信号を出力して、第１のモーター４４を駆動して主ミラー１３及び第１の反射ミラー１４をダウンさせるとともにシャッターチャージを行う。
【００４４】
（１２１）第１のモータードライバ４５に制御信号を出力して、第１のモーター４６を駆動して主ミラー１３及び第１の反射ミラー１４を跳ね上げる。続いて前記（１０６）又は（１１０）のステップにて演算された絞り値情報をレンズ制御手段５１に対して出力する。この情報に従ってレンズ制御手段５１は絞り３１を駆動するように第３のモータードライバ５４に信号出力して、第３のモーター５５を駆動する。これにより撮影レンズは絞り込み状態となる。
【００４５】
（１２２）シャッター駆動手段４２に対して信号出力を行い、シャッター１１を開放状態とする。これにより撮像素子１２には撮影レンズからの光線が入射して撮像が可能となる。前記（１０６）又は（１１０）のステップにて演算されたシャッター時間にしたがって撮像素子１２の蓄積時間を設定して撮像を撮像素子１２によって行うように信号処理回路４３に対して指示を出す。撮像が終了するとシャッター駆動手段４２に対して信号出力を行い、シャッター１１を遮光状態とする。これにより撮像素子１２に対する撮影レンズからの光線が遮断される。
【００４６】
（１２３）レンズ制御手段５１に対して絞り３１を開放するように情報出力する。この情報に従ってレンズ制御手段５１は絞り３１を駆動するように第３のモータードライバ５４に信号出力して、第３のモーター５５を駆動する。これにより撮影レンズは絞り開放状態となる。さらに、第１のモータードライバに制御信号を出力して、第１のモーター４４を駆動して主ミラー１３及び第１の反射ミラー１４をダウンさせるとともにシャッターチャージを行う。
【００４７】
（１２４）撮像画像情報を撮像素子１２からＡ／Ｄ変換しながら読み出して、必要な補正処理や補間処理を行うように信号処理回路４３に対して指示を出す。
【００４８】
（１２５）信号処理回路４３に対して指示を出して撮像画像情報に対してホワイトバランス調整を行う。具体的には撮像画像情報において、１画面内を複数分割し、各領域毎の色差信号より被写体の白色領域を抽出する。さらに抽出された領域の信号に基づいて画面全体の赤チャンネル及び青チャンネルのゲイン補正を行いホワイトバランス調整を行う。
【００４９】
（１２６）ホワイトバランス調整が行われた撮像画像情報を記録ファイルフォーマットに圧縮変換して記憶手段４４に記憶するように信号処理回路４３に対して指示を出す。
【００５０】
尚、（１０７）にてレリーズスイッチ５０のオンを検出した場合も上記（１２１）から（１２６）のステップを実行して撮像を行う。
【００５１】
これで一連の撮影シーケンスが終了する。
【００５２】
（実施例２）
撮像素子により撮像されたスルー画像に対して格子線或いは目盛線を合成して表示する場合に、格子線或いは目盛線の表示色と撮像されたスルー画像も同色系の画像となってしまった場合は格子線或いは目盛線が見づらいという問題が生じる。その対策としては表示色切換スイッチにより格子線或いは目盛線の表示色をユーザーが選択可能とすることが一案である。さらに自動的に格子線或いは目盛線の表示色を見づらくならないようなものに調整する第２の実施例について説明する。
【００５３】
第２の実施例においては図１から図４により説明したカメラ及びレンズの構成はそのまま適用できる。図５により説明したカメラ本体の制御手段４１の動作シーケンス中（１１３）から（１１６）のステップの代わりに図７の（２０１）から（２０８）のステップを実行する。（１０１）から開始されて（１１２）へ至るステップは第１の実施例と何ら変わらないので説明は省略する。
【００５４】
（２０１）図５の（１０８）のステップで入手したレンズの種類・仕様の情報に基づき、装着されているレンズがティルトレンズまたはシフトレンズであるかどうかをチェックする。もしも、装着されているレンズがティルトレンズまたはシフトレンズである場合は（２０２）へ進む。
【００５５】
（２０２）図５の（１１２）のステップで撮像開始された撮像素子１２による撮像画像を読み込み画像データの輝度成分及び色成分毎の平均値及び分布情報を演算し、撮像画像の輝度や色に関する特徴抽出を行う。
【００５６】
（２０３）撮像画像の輝度や色に関する特徴抽出結果から合成画像の輝度や色を選択する。選択にあたっては撮像画像に対して格子線が目立ち易いように、撮像画像の輝度が高い場合は格子線の明るさを暗くし、また撮像画像に色の偏りがある場合は撮像画像と補色に近い色を格子線の色として選択する。
【００５７】
（２０４）図５の（１１２）のステップで撮像開始された撮像素子１２による撮像画像に図６（ａ）に例示するような格子線画像を合成するように信号処理回路４３に指示を出す。格子線画像の輝度や色は（２０３）のステップで選択したものになるので、撮像画像が比較的暗い場合などは図６（ｃ）のように格子線が白系の色になったりする。その後図５の（１１７）へ進む。
【００５８】
もしも、（２０１）のステップにおいて装着されているレンズがティルトレンズまたはシフトレンズではない場合には（２０２）から（２０４）を実行せずに（２０５）へ進む。
【００５９】
（２０５）図５の（１０８）のステップで入手したレンズの種類・仕様の情報に基づき、装着されているレンズがマクロレンズかどうかをチェックする。もしも、装着されているレンズがマクロレンズである場合は（２０６）へ進む。
【００６０】
（２０６）図５の（１１２）のステップで撮像開始された撮像素子１２による撮像画像を読み込み画像データの輝度成分及び色成分毎の平均値及び分布情報を演算し、撮像画像の輝度や色に関する特徴抽出を行う。
【００６１】
（２０７）撮像画像の輝度や色に関する特徴抽出結果から合成画像の輝度や色を選択する。選択にあたっては撮像画像に対して目盛線が目立ち易いように、撮像画像の輝度が高い場合は目盛線の明るさを暗くし、また撮像画像に色の偏りがある場合は撮像画像と補色に近い色を目盛線の色として選択する。
【００６２】
（２０８）図５の（１１２）のステップで撮像開始された撮像素子１２による撮像画像に図６（ｂ）に例示するような目盛線画像を合成するように信号処理回路４３に指示を出す。格子線画像の輝度や色は（２０３）のステップで選択したものになるので、撮像画像が比較的暗い場合などは目盛線が白系の色になったりする。その後図５の（１１７）へ進む。
【００６３】
もしも、（２０５）のステップにおいて装着されているレンズがマクロレンズではない場合には（２０６）から（２０８）を実行せずに図５の（１１７）へ進む。すなわち、装着されたレンズがティルトレンズまたはシフトレンズ或いはマクロレンズのどれにも該当しない場合には格子線画像や目盛線画像との合成は行われないのは第１の実施例と同様である。
【００６４】
図５の（１１７）のステップに進んだ以降（１２６）のステップへ至る動作は第１の実施例と同様なので説明は省略する。
【００６５】
以上で第2の実施例の説明を終了する。
【図面の簡単な説明】
【００６６】
【図１】本発明を実施したデジタルカメラと交換レンズ及の断面図
【図２】焦点検出用センサーの構成例を表わす図
【図３】測光用センサーの構成例を表わす図
【図４】デジタルカメラと交換レンズの電気回路の構成例を表すブロック図
【図５】デジタルカメラの制御手段の動作フローチャート
【図６】合成画像の例を示す図
【図７】第２の実施例におけるデジタルカメラの制御手段の動作フローチャート
【符号の説明】
【００６７】
１  カメラ本体
２  交換レンズ
１０  メカニカルシャッター
１２  撮像素子
２０  焦点検出用センサー
２１  ピント板
２６  測光用センサー
４１  カメラ制御手段
４３  信号処理回路
４７  表示器
４８  表示色切換スイッチ
４９  撮影モード設定スイッチ
【図１】
2007036983.tif 000003
【図２】
2007036983.tif 000004
【図３】
2007036983.tif 000005
【図４】
2007036983.tif 000006
【図５】
2007036983.tif 000007
【図６】
2007036983.tif 000008
【図７】
2007036983.tif 000009